(57)【要約】      （修正有）【課題】小さくて携帯向きであり、部品数が少なく簡単な構成であり、危険なものは何一つ露出していないので安全であるようなツボ押圧具を提供する。【解決手段】複数層の基布２１−２３からなる基部２とこの基部の中に収容された突起部３からなるツボ押圧具である。前記突起部３には、少なくとも、上蓋３１と下蓋３５と、これら上下蓋の間に収容されたバネ３３が設けられている。前記バネ３３は下へ行くほど直径が増大するバネである。前記基布の最上層２３は弾性ゴム状体生地層であることが好ましい。【選択図】図３
2013180187.tif 000002
【特許請求の範囲】
【請求項１】
複数層の基布（２１〜２３；２１Ａ〜２３Ａ）からなる基部（２，２Ａ）とこの基部の中に収容された突起部（３，３Ａ）からなり、前記突起部（３，３Ａ）には、少なくとも、上蓋（３１，３１Ａ）と下蓋（３５，３５Ａ）と、これら上下蓋の間に収容されたバネ（３３，３３Ａ）が設けられており、前記バネ（３３，３３Ａ）は前記突起部の下部へ行くほど直径が増大するバネであることを特徴とするツボ押圧具（１，１Ａ）。
【請求項２】
前記基布の上層（２３，２３Ａ）が弾性ゴム状体生地層を含む請求項１記載のツボ押圧具。
【請求項３】
前記上蓋（３１）と前記下蓋（３５）の側壁自由端（３１２，３５１）は内側にカールされている請求項１又は２記載のツボ押圧具。
【請求項４】
前記上蓋（３１Ａ）と前記下蓋（３５Ａ）の中にそれぞれ上蓋パッキン（３２Ａ）及び下蓋パッキン（３４Ａ）が設けられた請求項１〜３のいずれかに記載のツボ押圧具。
【請求項５】
前記上蓋（３１）と前記下蓋（３５）の側壁自由端（３１２，３５１）に延長片（３１３，３５２）が設けられている請求項１〜４の何れかに記載のツボ押圧具。
【請求項６】
前記バネが金属製のコイルバネである請求項１〜５の何れかに記載のツボ押圧具。
【請求項７】
前記突起部（３）の底面直径が約２ｃｍ、上面直径が約１．５ｃｍである請求項１〜６の何れかに記載のツボ押圧具。
【請求項８】
前記突起部（３）の底面直径が約１．５ｃｍ、上面直径が約１ｃｍである請求項１〜６の何れかに記載のツボ押圧具。
【発明の詳細な説明】
【技術分野】
【０００１】
本発明は、身体中に点在しているツボ、トリガーポイント、反射点等（以下、総称して「ツボ」という）を押圧刺激することにより、病的症状の改善や健康増進に資することができるツボ押圧具に関するものである。
【背景技術】
【０００２】
従来、この種のツボ押圧具としては、次のようなものが知られている。
【０００３】
（１）特開２００７−２１１５４
全体の外形が筆記具のような外観であり、筒部の中に収納されたバネで押圧軸を押すようになっている。
（２）特開平９−２７６００１及び特開２００７−９８０９０
バネで付勢された指圧棒を靴底に内蔵させた履物である。
（３）特開２００４−１５４３９５
バネで付勢された加圧体を植設した按摩板である。
（４）特開平９−３１３５６４
棒状のコイルスプリングの先端部を略紡錘形状の打部として一体的に形成したコリほぐし棒である。
【発明の概要】
【発明が解決しようとする課題】
【０００４】
上記（２）と（３）は足底程度の大きさがあり、携帯に不向きである。（１）は部品点数が多く、比較的に高価な物となりそうである。（４）は棒状のコイルスプリングが露出しているため、取り扱いに注意が必要である。
【０００５】
本発明は、小さくて携帯向きであり、部品数が少なく簡単な構成であり、危険なものは何一つ露出していないので安全であるようなツボ押圧具を提供することを目的とする。
【課題を解決するための手段】
【０００６】
本発明は、複数層の基布からなる基部とこの基部の中に収容された突起部からなり、前記突起部には、少なくとも、上蓋と下蓋と、これら上下蓋の間に収容されたバネが設けられており、前記バネは下へ行くほど直径が増大するバネであることを特徴とする（請求項１）。
【０００７】
好ましくは、前記基部の上層は弾性ゴム状体生地層を含む（請求項２）。弾性ゴム状体生地層としては、例えばクロロプレンゴムや圧縮発泡ウレタンが挙げられる。
【０００８】
好ましくは、前記上蓋と前記下蓋の側壁自由端は内側にカールさせる（請求項３）。
【０００９】
別の変形例では、前記上蓋と前記下蓋の中にそれぞれ上蓋パッキン及び下蓋パッキンを設けてもよい（請求項４）。
【００１０】
さらに別の変形例では、前記上蓋と前記下蓋の側壁自由端に延長片を設けることもできる（請求項５）。
【００１１】
好ましくは、バネは金属製のバネであるが、合成樹脂製のものも使用可能である。形状はコイルバネが好ましいが板バネも使用可能である（請求項６）。
【００１２】
ある特定の実施例では、前記突起部の円錐台の底面直径が約２ｃｍ、上面直径が約１．５ｃｍのものである（請求項７）。ここで「約」とは前後０．３ｍｍの幅をいうものとする。
【００１３】
別の特定の実施例では、前記突起部の円錐台の底面直径が約１．５ｃｍ、上面直径が約１ｃｍである（請求項８）。ここで「約」とは前後０．３ｍｍの幅をいうものとする。
【発明の効果】
【００１４】
請求項１の発明によれば、部品数が少なく簡単な構成であり、危険なものは何一つ露出していないので安全であるようなツボ押圧具が得られる。
【００１５】
請求項２の発明によれば、前記した請求項１の効果に加えて、基布の中に突起部を収納しているにもかかわらず、基布表面に皺が寄らない、外観の優れたツボ押圧具が得られる。
【００１６】
請求項３〜５の発明によれば、前記した請求項１の効果に加えて、バネが上蓋・下蓋に安定的に位置するので、部品の分離による破損が起こりにくくなる。
【００１７】
請求項６の発明によれば、前記した請求項１の効果に加えて、押圧力が強く安定しており、また、部品が入手しやすく、安価に製造可能である。
【００１８】
請求項７及び８で特定した大きさは、実験の結果最もツボ押圧に適した大きさであった。
【００１９】
以下、添付の図面に基づき、本発明の１実施例を説明する。
【図面の簡単な説明】
【００２０】
【図１】本発明の１実施例に係るツボ押圧具を手のひらのツボに押し当てている状態の斜視図である。
【図２】図１のツボ押圧具の斜視図である。
【図３】図１のツボ押圧具の縦断面図である。
【図４】図１のツボ押圧具の分解斜視図である。
【図５】上蓋の（ａ）平面図、（ｂ）底面図、（ｃ）側面図、（ｄ）縦断面図である。
【図６】下蓋の（ａ）平面図、（ｂ）底面図、（ｃ）側面図、（ｄ）縦断面図である。
【図７】別の変形例に係る上蓋の（ａ）平面図、（ｂ）底面図、（ｃ）側面図、（ｄ）縦断面図である。
【図８】別の変形例に係る下蓋の（ａ）平面図、（ｂ）底面図、（ｃ）側面図、（ｄ）縦断面図である。
【図９】本発明のツボ押圧具を膝サポータの内側に使用している状態を示す斜視図である。
【図１０】本発明のツボ押圧具を肩サポータの内側に使用している状態を示す斜視図である。
【図１１】第２実施例のツボ押圧具の縦断面図である。
【図１２】第２実施例のツボ押圧具の斜視図である。
【実施例１】
【００２１】
図１、図２に示すように、本実施例に係るツボ押圧具１は、手のひらにすっぽりと収まる程度の大きさである。
【００２２】
図２に示すように、このツボ押圧具１は、平面状の基部２と、この基部から突出する先端が丸みを帯びた円錐台状の突起部３からなる。
【００２３】
基部２は、図示のものは約７ｃｍ×約６ｃｍの長方形であるが、外形は正方形、円形、楕円形など自由に選択することができる。
【００２４】
基部２は少なくとも２層の基布からなり、３層とすることが好ましい。最下層２１は強靱な生地、例えばウレタン系樹脂を含浸した帆布等が好ましい。中間層２２と最上層２３は一体化している。中間層２２は、最上層に皺ができにくくすると共に厚みや弾力を持たせるもので、弾性ゴム状体生地層を使用することが好ましい。弾性ゴム状体生地層としては、例えばクロロプレンゴムや圧縮発泡ウレタンが挙げられる。最上層２３は２方向に伸展する生地、例えば「オペロン」（東レ・デュポン社の登録商標）を含む２ｗａｙに伸展するトリコット生地が好ましい。これら３層の接触部分は熱溶着により強固に接合させる。
【００２５】
突起部３については、出願人は２種類の大きさのものを用意しており、用途・使用場所により使い分けることができる。大きいものは円錐台の底面直径が約２ｃｍ、上面直径が約１．５ｃｍ、小さいものは円錐台の底面直径が約１．５ｃｍ、上面直径が約１ｃｍである。
【００２６】
突起部３の内部には、図３、図４に示すように、上から、上蓋３１と、バネ３３と、下蓋３５とが収蔵されている。
【００２７】
上蓋３１は、図５に示すように、皿を伏せたような形状の金属板である。上表面にさらに小突起３１１を設けたり、文字や図形を立体的に刻印したりしてもよい。バネを安定的に収容するために、側壁自由端３１２は内側にカールさせることが好ましい。
【００２８】
バネ３３は、図４に示すように、下へ行くほど直径が増大する金属製コイルバネが好ましく、３〜５重とすることが好ましい。さびないことが重要であるのでステンレス鋼が好ましい。
【００２９】
下蓋３５は、図６に示すように、皿のような形状の金属板である。バネを安定的に収容するために、側壁自由端３５１は内側にカールさせることが好ましい。
【００３０】
上蓋３１はバネ３３先端を収納する。下蓋３５はバネ３３下端を収納する。通常単に強くかしめて収納するだけで十分であるが、接着剤などでしっかり固定することもできる。
【００３１】
別の変形例によれば、バネ３３先端を上蓋３１で確実に固定するために、図７に示すような延長片３１３を上蓋３１に設ける。ペンチのような道具を使用してこの延長片３１３を内側に倒してバネ先端をしっかりとくわえ込ませることで、バネと上蓋が確実に固定される。
【００３２】
同様にして、バネ３３後端を下蓋３５で確実に固定するために、図８に示すような延長片３５２を下蓋３５に設ける。
【００３３】
このツボ押圧具１はさまざまな使用が可能である。例えば、図１に示すように、突起部３を体（ここでは手のひら）のツボに当て、利き腕の親指で強く押圧することができる。その他、膝サポータ４の中に収容したり（図９）、肩サポータ５の中に入れたり（図１０）、靴の中に入れたり、床において足踏みしたりすることができる。
【実施例２】
【００３４】
図１１及び図１２は第２実施例を示す。この実施例では、弾性ゴム状体生地層を有する中間層は設けられておらず、最上層２Ａが直接突起部３Ａを覆っている。
【００３５】
突起部３Ａの内部には、上から、上蓋３１Ａと、上蓋パッキン３２Ａと、バネ３３Ａと、下蓋パッキン３４Ａと、下蓋３５Ａとが収蔵されている。
【００３６】
上蓋パッキン３２Ａは中央に開口を有する弾力性のあるプレートであり、例えば合成皮革の打ち抜き板からなる。下蓋パッキン３４Ａも同様に中央に開口を有する弾力性のあるプレートである。
【００３７】
上蓋３１Ａは、上蓋パッキン３２Ａとバネ３３Ａ先端を収納する。下蓋３５Ａは、下蓋パッキン３４Ａと、バネ３３Ａ下端を収納する。通常単に強くかしめて収納するだけで十分であるが、接着剤などでしっかり固定することもできる。第１実施例のような延長片を設けることもできる。
【００３８】
図１２の斜視図に示すように、この実施例では最上層２Ａが必要以上に伸展するため、余分な皺が入り、第１実施例に較べて、美観に劣るものであり、バネの感触も強すぎるものであったが、ツボ刺激効果は十分得られた。
【先行技術文献】
【特許文献】
【００３９】
【特許文献１】特開２００７−２１１５４
【特許文献２】特開２００７−９８０９０
【特許文献３】特開２００４−１５４３９５
【特許文献４】特開平９−２７６００１
【特許文献５】特開平９−３１３５６
【符号の説明】
【００４０】
１，１Ａ      ツボ押圧具
２，２Ａ      基部
２１，２１Ａ  最下層
２２   ，２２Ａ  中間層
２３   ，２３Ａ  最上層
３，３Ａ      突起部
３１   ，３１Ａ  上蓋
３１１ 小突起
３２Ａ   上蓋パッキン
３２１ 開口
３３   ，３３Ａ  バネ
３４   Ａ  下蓋パッキン
３５，３５Ａ    下蓋
【図１】
2013180187.tif 000003
【図２】
2013180187.tif 000004
【図３】
2013180187.tif 000005
【図４】
2013180187.tif 000006
【図５】
2013180187.tif 000007
【図６】
2013180187.tif 000008
【図７】
2013180187.tif 000009
【図８】
2013180187.tif 000010
【図９】
2013180187.tif 000011
【図１０】
2013180187.tif 000012
【図１１】
2013180187.tif 000013
【図１２】
2013180187.tif 000014